(57)【要約】無線通信のための移動局は、リバースチャネル上に送信するためのメッセージ、第１のプロトコル修正フィールドおよび第２のプロトコル修正フィールドを含むメッセージを発生するように構成される。第１のプロトコル修正フィールドは、移動局によりサポートされるメッセージフォーマットを示すためのものであり、第２のプロトコル修正フィールドは移動局によりサポートされる必須の特徴のセットを示すためのものである。
2008522561.tif 000002
【特許請求の範囲】
【請求項１】
無線通信のための移動局において、
リバースチャネル上に送信するためのメッセージを発生するように構成された制御プロセッサーであって、前記メッセージは第１のプロトコル修正フィールドと第２のプロトコル修正フィールドを含み、前記第１のプロトコル修正フィールドは前記移動局によりサポートされるメッセージフォーマットを表示するためのものであり、前記第２のプロトコル修正フィールドは前記移動局によりサポートされる必須の特徴のセットを表示するためのものであり、前記必須の特徴のセットは標準修正により定義される、制御プロセッサーを備えた移動局。
【請求項２】
前記メッセージは開始メッセージ、ページ応答メッセージ、および登録メッセージを含むグループから選択される、請求項１の移動局。
【請求項３】
前記標準修正は、ＩＳ−２０００修正０、ＩＳ−２０００修正Ａ、ＩＳ−２０００修正Ｂ、ＩＳ−２０００修正ＣおよびＩＳ−２０００修正Ｄを含むグループから選択される、請求項２の移動局。
【請求項４】
前記移動局によりサポートされるメッセージフォーマットはＩＳ−２０００修正Ｄ標準修正により定義される、請求項３の移動局。
【請求項５】
移動局を動作する方法において、
リバースチャネル上に送信するためのメッセージを発生することであって、前記メッセージは第１のプロトコル修正フィールドと第２のプロトコル修正フィールドを含み、前記第１のプロトコル修正フィールドは前記移動局によりサポートされるメッセージフォーマットを表示するためのものであり、前記第２のプロトコル修正フィールドは前記移動局によりサポートされる必須の特徴のセットを表示するためのものであり、前記必須の特徴のセットは標準修正により定義されることを備えた方法。
【請求項６】
前記メッセージは開始メッセージ、ページ応答メッセージ、登録メッセージを含むグループから選択される、請求項５の方法。
【請求項７】
前記標準修正はＩＳ−２０００修正０、ＩＳ−２０００修正Ａ、ＩＳ−２０００修正Ｂ、ＩＳ−２０００修正ＣおよびＩＳ−２０００修正Ｄを含むグループから選択される、請求項６の方法。
【請求項８】
前記移動局によりサポートされるメッセージフォーマットは前記ＩＳ−２０００修正Ｄ標準修正により定義される、請求項７の方法。
【請求項９】
機械により実行されると、移動局内の動作を機械に実行させる命令を備えた機械読み取り可能媒体において、前記動作は、
リバースチャネル上に送信するためのメッセージを発生することであって、前記メッセージは第１のプロトコル修正フィールドと第２のプロトコル修正フィールドを含み、前記第１のプロトコル修正フィールドは前記移動局によりサポートされるメッセージフォーマットを表示するためのものであり、前記第２のプロトコル修正フィールドは前記移動局によりサポートされる必須の特徴のセットを表示するためのものであり、前記必須の特徴のセットは標準修正により定義されることを備えた、機械読み取り可能媒体。
【請求項１０】
無線通信のための移動局において、
リバースチャネル上に送信するためのメッセージを発生する手段であって、前記メッセージは第１のプロトコル修正フィールドと第２のプロトコル修正フィールドを含み、前記第１のプロトコル修正フィールドは前記移動局によりサポートされたメッセージフォーマットを表示するためのものであり、前記第２のプロトコル修正フィールドは前記移動局によりサポートされた必須の特徴のセットを表示するためのものであり、前記必須の特徴のセットは標準修正により定義される、手段と、
前記リバースチャネル上に前記メッセージを送信する手段と、
を備えた、移動局。
【請求項１１】
前記メッセージは、開始メッセージ、ページ応答メッセージ、および登録メッセージを含むグループから選択される、請求項１０の移動局。
【請求項１２】
前記標準修正は、ＩＳ−２０００修正０、ＩＳ−２０００修正Ａ、ＩＳ−２０００修正Ｂ、ＩＳ−２０００修正Ｃ、およびＩＳ−２０００修正Ｄを含むグループから選択される、請求項１１の移動局。
【請求項１３】
前記移動局によりサポートされるメッセージフォーマットは前記ＩＳ−２０００修正Ｄ標準修正により定義される、請求項１２の移動局。
【請求項１４】
無線通信のための基地局において、
移動局からのリバースチャネル上のメッセージを受信するように構成された受信機であって、前記メッセージは第１のプロトコル修正フィールドと第２のプロトコル修正フィールドを含み、前記第１のプロトコル修正フィールドは前記移動局によりサポートされるメッセージフォーマットを表示するためのものであり、前記第２のプロトコル修正フィールドは前記移動局によりサポートされる必須の特徴のセットを表示するためのものであり、前記必須の特徴のセットは標準修正により定義される、受信機を備えた基地局。
【請求項１５】
前記メッセージは、開始メッセージ、ページ応答メッセージ、および登録メッセージを含むグループから選択される、請求項１４の基地局。
【請求項１６】
前記標準修正は、ＩＳ−２０００修正０、ＩＳ−２０００修正Ａ、ＩＳ−２０００修正Ｂ、ＩＳ−２０００修正ＣおよびＩＳ−２０００修正Ｄを含むグループから選択される、請求項１５の基地局。
【請求項１７】
前記移動局によりサポートされるメッセージフォーマットは、前記ＩＳ−２０００修正Ｄ標準修正により定義される、請求項１６の基地局。
【請求項１８】
機械により実行させると、前記機械に動作を実行させる命令を備えた機械読み取り可能媒体において、前記動作は、
前記移動局からのリバースチャネル上のメッセージを受信することであって、前記メッセージは第１のプロトコル修正フィールドと第２のプロトコル修正フィールドを含み、前記第１のプロトコル修正フィールドは前記移動局によりサポートされるメッセージフォーマットを表示するためのものであり、前記第２のプロトコル修正フィールドは、前記移動局によりサポートされた必須の特徴のセットを表示するためのものであり、前記必須の特徴のセットは標準修正により定義されることを備えた、機械読み取り可能媒体。
【発明の詳細な説明】
【技術分野】
【０００１】
この発明は一般に無線通信に関し、特にセルラー無線通信に関する。
【背景技術】
【０００２】
通信の分野は、例えばページング、無線ローカルループ、インターネットテレフォニー、および衛星通信システムを含む多くのアプリケーションを有する。例示アプリケーションは移動加入者のためのセルラー電話システムである。（ここに使用されるように、「セルラー」システムという用語は、セルラーシステム周波数とパーソナル通信サービス（ＰＣＳ）システム周波数の両方を含む）。複数のユーザーが共通の通信媒体をアクセスすることを可能にする、無線通信システムのような、最新の通信システムがそのようなセルラーシステムのために開発された。これらの最新の通信システムは、符号分割多元接続（ＣＤＭＡ）、時分割多元接続（ＴＤＭＡ）、周波数分割多元接続（ＦＤＭＡ）、空間分割多元接続（ＳＤＭＡ）、分極分割多元接続（ＰＤＭＡ）、または技術的に知られている他の変調技術のような多元アクセス技術に基いていてもよい。これらの変調技術は通信システムの複数のユーザーから受信した信号を復調し、それにより通信システムのキャパシティの増加を可能にする。それと関連して、例えば、アドバンストモバイルフォーンシステム（ＡＭＰＳ）、移動通信のためのグローバルシステム（ＧＳＭ）、および他の無線システムを含む種々の通信システムが開発された。
【０００３】
ＦＤＭＡシステムにおいて、トータル周波数スペクトルは多数のより小さなサブバンドに分割され、各ユーザーには、通信システムをアクセスするためのその固有のサブバンドが与えられる。あるいは、ＴＤＭＡシステムにおいて、トータル周波数スペクトルは多数のより小さなサブバンドに分割され、各サブバンドは、多数のユーザー間で共有され、各ユーザーはそのサブバンドを用いて所定のタイムスロットで送信することが可能になる。ＣＤＭＡシステムは、増加されたシステムキャパシティを含む他のタイプのシステムに対して潜在的な利点を供給する。ＣＤＭＡシステムにおいて、各ユーザーにはいつでも全体の周波数スペクトルが与えられるが固有のコードの使用を介してその送信を識別する。
【０００４】
ＣＤＭＡシステムは、（１）「デュアルモードワイドバンド拡散スペクトルセルラーシステムのためのＴＩＡ／ＥＩＡ−９５−Ｂ移動局−基地局互換規格」（ＩＳ−９５規格）（２）「第三世代パートナーシッププロジェクト（３ＧＰＰ）という名前の共同体により提供される規格であって文献Ｎｏ．３Ｇ  ＴＳ  ２５．２１１、３Ｇ  ＴＳ  ２５．２１２、３Ｇ  ＴＳ  ２５．２１３、３Ｇ  ＴＳ  ２５．２１４を含む文献のセットに具現化される規格（Ｗ−ＣＤＭＡ規格）、（３）「第三世代パートナーシッププロジェクト２」（３ＧＰＰ２）という名前の共同体により提供される規格であって、「ｃｄｍａ２０００スペクトル拡散システムのためのＴＲ−４５．５物理層規格」において具現化される規格（ＩＳ−２０００規格）のような１つ以上のＣＤＭＡ規格をサポートするように設計されてもよい。
【０００５】
上述の名前が付けられたＣＤＭＡ通信システムおよび規格において、利用可能なスペクトルは多数のユーザー間で同時に共有され、音声サービスやデータサービスのようなサービスを供給するために適切な技術が利用可能である。
【０００６】
電子シリアル番号（ＥＳＮｓ）、３２ビットバイナリ番号は現在種々の移動局製造業者により製造される各移動局を固有に識別するために現在使用されている。携帯電話のような移動局の急増に鑑みて、ＥＳＮｓはいつかは使い果たされる。それゆえ、新しい固有の移動局識別子が開発され規格化された。これは、５６ビットのビット数である移動局機器識別子（ＭＥＩＤ）として知られている。ＭＥＩＤは、標準のＩＳ−２０００ファミリーの修正Ｄにおける必須の特徴の１つである。標準のＩＳ−２０００ファミリーは上で識別されたもともと採用されたＩＳ−２０００標準に対する修正またはリリースを含む。そのような修正は、修正０、Ａ、Ｂ、Ｃ、およびＤを含む。今日、利用される有力なＩＳ−２０００規格はＩＳ−２０００改訂０であり、無線セルラーオペレーターが改訂Ｄのような次の改訂を利用するためには、時間のかかる高価な相互運用テストを実行しなければならず、移動局が修正０、Ａ、Ｂ、およびＣと下位互換性があり、ネットワークが適切な機能向上を必要とすることを保証する必要がある。しかしながら、ＥＳＮｓはそのようなテストとネットワークアップグレードが完了される前に使い果たされるかもしれない。
【発明の開示】
【０００７】
３５Ｕ．Ｓ．Ｃ．§１１９に基く優先権主張 
この特許出願は、この出願の譲受人に譲渡され、参照することにより本明細書に組み込まれる２００４年１２月３日に出願された「ＩＳ−２０００修正のマイグレーション(migration)のためのマイナーＭＯＢ＿Ｐ＿ＲＥＶ」(Minor MOB_P_REV for Migration of IS-2000 Revision)というタイトルの米国仮出願第６０／６３３，３４８号の優先権を主張する。
【０００８】
１つの観点において、無線通信のための移動局が開示される。
【０００９】
移動局は、リバースチャネル上に送信するためのメッセージを発生するように構成された制御プロセッサーを含む。メッセージは、第１のプロトコル修正フィールドと第２のプロトコル修正フィールドを含む。第１のプロトコル修正フィールドは、移動局によりサポートされるメッセージフォーマットを示すためのものであり、第２のプロトコル修正フィールドは、移動局によりサポートされる必須の特徴のセットを示すためのものである。必須の特徴のセットは標準修正により定義される。
【００１０】
他の観点において、移動局を動作する方法が開示される。この方法はリバースチャネル上に送信するためのメッセージを発生することを含む。メッセージは、第１のプロトコル修正フィールドと第２のプロトコル修正フィールドを含む。第１のプロトコル修正フィールドは移動局によりサポートされるメッセージフォーマットを示すためのものであり、第２プロトコル修正フィールドは移動局によりサポートされる必須の特徴のセットを示すためのものである。必須の特徴のセットは標準修正により定義される。
【００１１】
さらに他の観点において、機械により実行されると機械に移動局における動作を実行させる命令を備えた機械読み取り可能な媒体が開示される。動作は、リバースチャネル上への送信のためのメッセージを発生することを含む。メッセージは第１プロトコル修正フィールドと第２プロトコル修正フィールドを含む。第１プロトコル修正フィールドは移動局によりサポートされるメッセージフォーマットを示すためのものであり、第２プロトコル修正フィールドは移動局によりサポートされる必須の特徴のセットを示すためのものである、必須の特徴のセットは標準修正により定義される。
【００１２】
さらに他の観点において、無線通信のための移動局が開示される。移動局は、リバースチャネル上に送信するためにメッセージを発生する手段を含む。メッセージは第１プロトコル修正フィールドと第２プロトコル修正フィールドを含む。第１プロトコル修正フィールドは移動局によりサポートされるメッセージフォーマットを示すためのものであり、第２プロトコル修正フィールドは、移動局によりサポートされる必須の特徴のセットを示すためのものである。必須の特徴のセットは標準修正により定義される。メッセージをリバースチャネル上に送信する手段が含まれる。
【００１３】
さらに他の観点において、無線通信のための基地局が開示される。基地局は移動局からリバースチャネル上のメッセージを受信するように構成された受信機を含む。メッセージは第１のプロトコル修正フィールドと第２のプロトコル修正フィールドを含む。第１のプロトコル修正フィールドは、移動局によりサポートされるメッセージフォーマットを示すためのものであり、第２のプロトコル修正フィールドは移動局によりサポートされる必須の特徴のセットを示すためのものであり、必須の特徴のセットは標準修正により定義される。
【００１４】
さらに他の観点において、機械により実行されると、機械に動作を実行させる命令を備えた機械読み取り可能媒体が開示される。動作は、移動局からリバースチャネル上のメッセージを受信することを含む。メッセージは第１のプロトコル修正フィールドと第２のプロトコル修正フィールドを含む。第１のプロトコル修正フィールドは、移動局によりサポートされたメッセージフォーマットを示すためのものであり、第２のプロトコル修正フィールドは移動局によりサポートされる必須の特徴のセットを示すためのものである。必須の特徴のセットは標準修正により定義される。
【発明を実施するための最良の形態】
【００１５】
「例示」という言葉は、「例、インスタンス、例証として機能する」ことを意味するためにここでは使用される。「例示」としてここに記載された任意の実施形態は必ずしも他の実施形態に対して好適であるとか利点があると解釈されるべきでない。
【００１６】
移動局（ＭＳ）、アクセス端末（ＡＴ）、ユーザー機器（ＵＥ）または加入者ユニットとしても知られている遠隔局は移動していてもよいしまたは静止していてもよく、ベーストランシーバーステーション（ＢＴＳｓ）またはノードＢｓとしても知られている１つ以上の基地局と通信してもよい。遠隔局は１つ以上の基地局を介して、無線ネットワークコントローラー（ＲＮＣｓ）としても知られる基地局コントローラーに対して送受信する。基地局と基地局コントローラーはアクセスネットワークと呼ばれるネットワークの一部である。アクセスネットワークは複数の遠隔局間にデータパケットをトランスポートする。さらにアクセスネットワークは、企業内イントラネットまたはインターネットのようなこのアクセスネットワーク外部のさらなるネットワークに接続されていてもよく、各遠隔局とそのような外部ネットワークとの間でデータパケットをトランスポートしてもよい。１つ以上の基地局とアクティブトラヒックチャネルを確立した遠隔局は、アクティブ遠隔局と呼ばれトラヒック状態にあると言われる。１つ以上の基地局とアクティブトラヒックチャネル接続を確立するプロセスにある遠隔局は接続セットアップ状態にあると言われます。遠隔局は無線チャネルを介して通信する任意のデータ装置であってよい。さらに遠隔局は、これらに限定されないが、ＰＣカード、コンパクトフラッシュ（登録商標）、外部または内部モデムまたは無線電話を含む多数のタイプの装置のいずれかであってもよい。遠隔局が基地局に信号を送信する通信リンクはアップリンクと呼ばれ、また、リバースリンクとしても知られている。基地局が遠隔局に信号を送信する通信リンクはダウンリンクと呼ばれ、フォワードリンクとしても知られている。
【００１７】
図１に関連して、例示無線通信システム１００は、１つ以上の移動局（ＭＳ）１０２、１つ以上の基地局（ＢＳ）１０４、１つ以上の基地局コントローラー（ＢＳＣ）１０６、およびコアネットワーク１０８を含む。コアネットワークはインターネット、および適切な帰路を介した公衆交換電話網（ＰＳＴＮ）１１２に接続されていてもよい。無線通信システム１００は、符号分割多元接続（ＣＤＭＡ）、時分割多元接続（ＴＤＭＡ）、周波数分割多元接続（ＦＤＭＡ）、空間分割多元接続（ＦＤＭＡ）、分極分割多元接続（ＰＤＭＡ）、または技術的に知られた他の変調技術のような多数の多元接続技術のいずれか１つを採用してもよい。
【００１８】
図２と図５を参照すると、一実施形態において、無線通信のための移動局１０２はリバースチャネル上に送信するための開始メッセージ５００、第１のプロトコル修正フィールド５０６および第２のプロトコル修正フィールド５０８を含むメッセージのようなメッセージを発生するように構成された制御プロセッサー２０２を含む。第１のプロトコル修正フィールド５０６は移動局１０２によりサポートされたメッセージフォーマットを示すためのものであり、第２のプロトコル修正フィールド５０８は移動局１０２によりサポートされる必須の特徴のセットを示すためのものである。必須の特徴のセットは標準修正により定義される。一実施形態において、リバースチャネルはリバースコモンシグナリングチャネルであってもよい。他の実施形態において、リバースチャネルはリバース専用シグナリングチャネルであってもよい。
【００１９】
一実施形態において、メッセージは、（図５に示すように）開始メッセージ、ページ応答メッセージ、および登録メッセージを含むグループから選択される。種々の実施形態において、標準修正は、ＩＳ−２０００修正０、ＩＳ−２０００修正Ａ、ＩＳ−２０００修正Ｂ、ＩＳ−２０００修正Ｃ、およびＩＳ−２０００修正Ｄを含むグループから選択される。一実施形態において、移動局１０２によりサポートされるメッセージフォーマットは、必須の特徴としてＭＥＥＤを含むＩＳ−２０００修正Ｄ標準により定義される。
【００２０】
図２を続けると、移動局１０２は送信機２００、変調器２０６、受信機２０４、復調器２０８、アンテナ２１０を含む。これらの機能は技術的に知られている。
【００２１】
図５を続けると、一実施形態において、メッセージ５００は呼を確立するために、移動局１０２により基地局１０４（図１参照）に送信された開始メッセージである。開始メッセージ５００は、モバイルターミネイテッドコールアクセプテッドインジケーター（ＭＯＢ＿ＴＥＲＭ）５０２、スロットサイクルインデックス（ＳＬＯＴ＿ＣＹＣＬＥ＿ＩＮＤＥＸ）５０４、メッセージフォーマットプロトコル修正（ＭＦ＿Ｐ＿ＲＥＶ）５０６、ステーションクラスマーク（ＳＣＭ）５０８、．．．予約ビット（ＲＥＳＥＲＶＥＤ）５１６、およびリバースゲートモード要求インジケーター（ＲＥＶ  ＦＣＨ  ＧＡＴＩＮＧ  ＲＥＱ）５２０のような種々のフィールドを含む。
【００２２】
現在のＩＳ−２０００修正０標準において、ＭＯＢ＿Ｐ＿ＲＥＶとして知られる８ビットフィールドは開始メッセージのような多数のメッセージに埋め込まれ、それがサポートする特定のプロトコルまたは標準を示すために移動局により使用される。例えば、移動局がＩＳ−２０００修正０標準をサポートしていることを示すために６の値が用いられる。それゆえ、現在のＩＳ−２０００修正０標準において、ＭＯＢ＿Ｐ＿ＲＥＶフィールドにより表される単一の値（例えば６）は、番号６により表される標準修正のメッセージフォーマットと必須の特徴のセットの両方を意味する。
【００２３】
注目に値すべきなのは、一実施形態において、メッセージフォーマットプロトコル修正フィールド５０６は、移動局１０２によりサポートされるメッセージまたはプロトコルフォーマットを示すための第１のプロトコル修正フィールド「”Ｍａｊｏｒ  ＭＯＢ＿Ｐ＿ＲＥＶ”」であり、ステーションクラスマークフィールド５０８は移動局１０２によりサポートされる必須の特徴のセットを示すための第２のプロトコル修正フィールド「”Ｍｉｎｏｒ  ＭＯＢ＿Ｐ＿ＲＥＶ”」である。８ビットステーションクラスマークフィールド５０８内の適切な数のビットを用いて、標準修正により定義される必須のセットを示すようにしてもよい。例えば、ＳＣＭ５０８内の適切な数のビットを用いて以下のようにして標準のＩＳ−２０００ファミリーのセットを識別する値を表すために使用されてもよい。「０」−修正０のためのすべての必須の特徴、「１」−修正Ａのためのすべての必須の特徴、「２」−修正Ｂのためのすべての必須の特徴、「３」−修正Ｃのためのすべての必須の特徴、Ｐ＿ＲＥＶ、「４」−修正Ｃのためのすべての必須の特徴、Ｐ＿ＲＥＶ１０、「５」−修正Ｄのためのすべての必須の特徴、「６」またはそれより高い値−修正Ｄにおける特定の必須の特徴。例えば「１１」のＭＦ＿Ｐ＿ＲＥＶ値およびＳＣＭ５０８内の適切な数のビットにより表される「０」の値は、移動局がＩＳ−２０００修正Ｄにより定義されるメッセージフォーマットをサポートし、また、修正０標準のすべての必須の特徴をサポートすることが基地局により「理解」されるであろう。そのようなプロトコル修正フィールドの分岐は、第２のプロトコル修正フィールドの使用を用いて移動局によりサポートされる実際の必須の特徴が段階的に導入されることを可能にしながら、修正Ｄにより定義されるメッセージフォーマットのような最新のメッセージフォーマットを用いることにより、ＩＳ−２０００のような標準の後の修正に向けてより進歩的なアップグレードを可能にする。代わりの実施形態において、修正フィールド５０６は第２のプロトコル修正フィールドとして使用されてもよいし、ＳＣＭフィールド５０８は第１のプロトコル修正フィールドとして使用されてもよい。
【００２４】
図４を参照すると、一実施形態において、プロセス４００のフロー図が示される。プロセス４００は図２に示すように移動局１０２の制御プロセッサー２０２のような移動局の他のコンポーネントと協同して制御プロセッサーにより実施されてもよい。プロセス４００は、リバースチャネル上に送信するためのメッセージを発生することを含む。メッセージは第１プロトコル修正フィールドと第２プロトコル修正フィールドを含む。第１プロトコル修正フィールドは、移動局１０２によりサポートされるメッセージフォーマットを示すためのものである。第２プロトコル修正フィールドは移動局１０２によりサポートされる必須の特徴のセットを示すためのものである。必須の特徴のセットは標準修正により定義される。プロセス４００は、４０４においてメッセージを基地局１０４に送信することを含む。
【００２５】
図３を参照すると、一実施形態において、無線通信のための基地局１０４は、移動局１０２からリバースチャネル上のメッセージを受信するように構成された受信機３０４を含む。メッセージは第１プロトコル修正フィールドと第２プロトコル修正フィールドを含む。第１プロトコル修正フィールドは、移動局１０２によりサポートされたメッセージフォーマットを表示するためのものである。第２プロトコル修正フィールドは、移動局１０２によりサポートされる必須の特徴のセットを表示するためのものである。必須の特徴のセットは標準修正により定義される。
【００２６】
図３を続けると、基地局１０４は変調器３０６、図１に示されるＢＳＣ１０６のようなＢＳＣとの通信のためのインターフェース３０８、制御プロセッサー３０２、復調器３１０およびアンテナ３１２を含む。これらの機能は技術的に知られている。一実施形態において、移動局または基地局内の送信機および受信機は、図示するように個別のコンポーネントであってよい。他の実施形態において、移動局または基地局における送信機および受信機は一般に「トランシーバー」と呼ばれる単一のコンポーネントであってもよい。
【００２７】
この発明の他の観点において、実行されると機械に移動局内の動作を実行させる命令を備えた機械読み取り可能媒体が開示される。この動作はリバースチャネル上に送信するためのメッセージを発生することを含む。メッセージは第１のプロトコル修正フィールドと第２のプロトコル修正フィールドを含む。第１のプロトコル修正フィールドは移動局によりサポートされるメッセージフォーマットを表示するためのものであり、第２のプロトコル修正フィールドは移動局によりサポートされる必須の特徴のセットを表示するためのものである。必須の特徴のセットは標準修正により定義される。
【００２８】
一実施形態において、機械読み取り可能媒体はＣＤ−ＲＯＭのようなディスクベースの媒体であってよい。
【００２９】
さらにこの発明の他の観点において、無線通信のための移動局が開示される。移動局はリバースチャネル上に送信するためのメッセージを発生する手段を含む。メッセージは第１のプロトコル修正フィールドと第２のプロトコル修正フィールドとを含む。第１のプロトコル修正フィールドは移動局によりサポートされたメッセージフォーマットを表示するためのものであり、第２のプロトコル修正フィールドは移動局によりサポートされた必須の特徴のセットを表示するためのものである。必須の特徴のセットは標準修正により定義される。そのような発生するための手段は、例えば、図２に示される制御プロセッサー２０２を適切に含んでいてもよい。移動局は、図２に示される送信機２００を適切に含んでいてもよいリバースチャネルにメッセージを送信するための手段を含む。
【００３０】
この発明のさらに他の観点において、機械により実行されると、機械に動作を実行させる命令を備えた機械読み取り可能媒体が開示される。この動作は移動局からリバースチャネル上のメッセージを受信することを含む。メッセージは第１のプロトコル修正フィールドと第２のプロトコル修正フィールドを含む。第１のプロトコル修正フィールドは移動局によりサポートされたメッセージフォーマットを表示するためのものであり、第２のプロトコル修正フィールドは移動局によりサポートされた必須の特徴のセットを表示するためのものである。必須の特徴のセットは標準修正により定義される。
【００３１】
当業者は、情報および信号は、さまざまな異なる科学技術および技法を用いて表してもよいことを理解するであろう。例えば、上述した記述全体を通して参照してもよいデータ、命令、コマンド、情報、信号、ビット、記号、およびチップは、電圧、電流、電磁波、磁界、磁性粒子、光学界、または光学粒子またはそれらの任意の組合せにより表してもよい。
【００３２】
当業者はさらに、ここに開示した実施の形態に関連して記載した種々の実例となる論理ブロック、モジュール、回路、およびアルゴリズムステップは、電子ハードウエア、コンピュータソフトウエアまたは両方の組合せで実施してもよいことを理解するであろう。
【００３３】
このハードウエアとソフトウエアの互換性を明瞭に説明するために、種々の実例となる部品、ブロック、モジュール、回路、およびステップが一般にそれらの機能性の観点から上に記載された。そのような機能性がハードウエアまたはソフトウエアとして実現されるかは特定のアプリケーションおよび全体のシステムに課せられた設計制約に依存する。熟達した職人は、各特定のアプリケーションに対して記載した機能性を変形した方法で実施することができるが、そのような実施の判断は、この発明の範囲を逸脱するものとして解釈されるべきでない。
【００３４】
ここに開示された実施の形態に関連して記載された種々の実例となる論理ブロック、モジュール、および回路は、汎用プロセッサー、デジタルシグナルプロセッサ（ＤＳＰ）、特定用途向け集積回路（ＡＳＩＣ）、フィールドプログラマブルゲートアレイ（ＦＰＧＡ）または他のプログラマブル論理装置、ディスクリートゲートまたはトランジスタロジック、ディスクリートハードウエアコンポーネント、またはここに記載した機能を実行するように設計されたいずれかの組合せを用いて実施または実行してもよい。
【００３５】
汎用プロセッサーは、マイクロプロセッサーであってよいが、別の方法では、プロセッサーは、いずれかの一般的なプロセッサー、コントローラー、マイクロコントローラ、またはステートマシンであってよい。プロセッサーはまた、計算装置の組合せとしても実施できる。例えば、ＤＳＰとマイクロプロセッサーの組合せ、複数のマイクロプロセッサー、ＤＳＰコアと協力した１つ以上のマイクロプロセッサーまたはいずれかの他のそのような構成として実施してもよい。ここに開示された実施の形態に関連して記載された方法またはアルゴリズムのステップは、ハードウエアにおいて、プロセッサーにより実行されるソフトウエアモジュールにおいて、または両者の組合せにおいて直接具現化してもよい。ソフトウエアモジュールはRAMメモリ、フラッシュメモリ、ROMメモリ、EPROMメモリ、EEPROMメモリ、レジスタ、ハードディスク、取り外し可能ディスク、CD-ROM、または技術的に既知である任意の他の形式の記憶媒体に常駐してよい。例示的な記憶媒体は、プロセッサーが記憶媒体から情報を読み取り、記憶媒体に情報を書き込むことができるようにプロセッサーに結合される。代替策では、記憶媒体はプロセッサーに一体化してよい。プロセッサー及び記憶媒体はASICに常駐してよい。ＡＳＩＣはユーザー端末に常駐してよい。代替策では、プロセッサー及び記憶媒体はユーザー端末内に別々の構成要素として常駐してよい。好適実施の形態の上述の記載は当業者がこの発明を製作または使用することを可能にするために提供される。これらの実施の形態に対する種々の変更は当業者には容易に明白であろう、そしてここに定義される包括的原理は発明力の使用なしに他の実施の形態に適用可能である。従って、この発明は、ここに示される実施形態に限定されることを意図したものではなく、ここに開示された原理および新規な特徴と一致する最も広い範囲が許容されるべきである。
【図面の簡単な説明】
【００３６】
【図１】図１は無線通信システムの例である。
【図２】図２はこの発明の一実施形態に従う移動局のブロック図である。
【図３】図３はこの発明の一実施形態に従う基地局のブロック図である。
【図４】図４はこの発明の一実施形態に従って移動局により実施されてもよいプロセスのフロー図である。
【図５】図５はこの発明の一実施形態に従って図２の移動局により送信される発生メッセージの一例である。
【図１】
2008522561.tif 000003
【図２】
2008522561.tif 000004
【図３】
2008522561.tif 000005
【図４】
2008522561.tif 000006
【図５】
2008522561.tif 000007
【国際調査報告】
2008522561.tif 000008
2008522561.tif 000009